(57)【要約】【課題】回転可能な表示設備にあって簡単にその使用角度を設定できる装置及び方法を提供し、複雑且つ損壊しやすい機電系統を介することなく、スクリーン使用角度の設定を可能とし、これにより全体構造の信頼度を向上させる。【解決手段】本発明の回転可能な表示設備は第１の境界面を有する活動部と第１の境界面と接合して該活動部を固定する第２の境界面を有する固定部とを備えた定位装置が設けられてあるベースと該ベース上に枢接され且つ該活動部と互いに接合する定位部材を有することにより、該活動部を該定位部材に追従して回転させる表示器とを備えてなる。【選択図】図４
2008197616.tif 000002
【特許請求の範囲】
【請求項１】
第１の面を有する活動部と第１の面と接合して該活動部を固定する第２の面を有する固定部とを備えた定位装置が設けられているベースと、
前記ベース上に枢接され且つ前記活動部と互いに接合する定位部材を有することにより、該活動部を該定位部材に追従して回転させる表示器と、
を備えてなり、ここで
前記回転後表示装置が一使用角度に位置した時、前記定位部材及び前記活動部がいずれも該使用角度に位置していることを表わし、この時再度該活動部を該使用角度に固定して該定位部材を再度該活動部と互いに結合させた時、該表示装置が該使用角度に位置することを特徴とする回転可能な表示設備。
【請求項２】
前記活動部上に係合溝があり、そして該定位部材上には該係合溝に進入して該表示装置を定位させる係止ブロックがあり、及び／又は
前記表示装置と定位部材との間には更に、該定位部材を前記活動部に向かって当接させる弾性素子を有している請求項１記載の表示設備。
【請求項３】
前記第１の面及び前記第２の面はいずれも平坦でない面状を呈しており、該第１の面と該第２の面とが分離し且つ前記定位部材と前記活動部とが互いに接合した時、該活動部は前記表示器に追従して回転する請求項１記載の表示設備。
【請求項４】
前記表示器はスクリーンであり、及び／又は
前記定位部材と前記活動部は互いに嵌合するように係合する前記請求項１記載の表示設備。
【請求項５】
（１）表示器とこの上に位置する定位部材を提供するステップと、
（２）前記定位装置を提供するステップと、
（３）前記定位部材と前記定位装置とを接合して前記定位部材に追従して回転させるステップと
（４）前記表示器の回転において前記表示器が使用角度に位置した時、前記定位装置を固定して前記使用角度の設定を完成するステップと
を備えてなる表示設備の使用角度の設定方法。
【請求項６】
ステップ（２）の定位装置はベース上に設置され、この定位装置は更に定位部材と互いに係合する活動部と、この活動部を固定する固定部とを備えてなり、ここで該活動部と該固定部とが互いに固定されて該活動部が該ベース上に固定して、使用角度の設定が完成され、
前記活動部と前記固定部とはクラッチ方式で互いに固定され；及び
前記活動部に第１の境界面があり、そして該固定部には第２の境界面があり、該第１の境界面が該２の境界面と接触した時即ち所謂クラッチである請求項５記載の方法。
【請求項７】
前記表示器は収納角度から視認角度である使用角度に回転する請求項５記載の方法。
【発明の詳細な説明】
【技術分野】
【０００１】
本発明は回転可能な表示設備及びその使用角度の設定方法に関する。
【背景技術】
【０００２】
従来の回転可能な表示設備は多くは自動制御方式で達成され、モータの回転に合せてスクリーンを制御して所定位置に達した時に停止する。そして次回の使用時に前回の使用位置に停留できるようにしており、このような表示設備は車両のトップ・セット型スクリーンに最も見られる。
【０００３】
図１は従来の回転可能な表示設備である。この図に示すように表示設備構造１はスクリーン１０と、これと枢接したベース１２と、電力系統２と、定位器３とを備えている。電力系統２は多くはモータと、１ないし複数のギヤーとを組合わせてなり（図中いずれも図示せず）そして定位器３は回折格子３４に光源３２及び光センサ３０をマッチしてなり、ここで、回折格子３４は同軸的にスクリーン回転軸１０ａ上に設置され、回折格子３４を正確的にスクリーン回転軸１０ａの回転角度を表現できるようにしている。これによりスクリーン回転軸の回転時、格子３４を連動して回転すると共に、光源３２が発生する光路に対して開閉の作用を起こし、光線の通過か否かを通してセンサ３０にスクリーン回転１０ａの回転角度を出現させる。
【０００４】
またなんらの視認角度（即ち使用角度、使用位置）をも設定されていない場合、図１に示す従来の技術はモータを持続的に回転させ、使用の方法として先ず電力系統２を起動してスクリーン１０に回転を開始させ、スクリーン１０が使用者の希望な角度に位置した時に電力系統２を停止し、再度手動微調整によるか又は再度電力系統を介して調整するかのいずれかを問わず、使用者が角度を確定した後、回折格子３４が回転する角度はいずれも電子方式を介して記録され、且つ、これを以後の使用角度として設定させる。したがって、以後再度スクリーン１０を使用する場合は伝力系統２がスクリーン回転軸１０ａを回転し、回折格子も回転するので、光センサ３０が回折格子３４の回転角度を記録し、一旦前に記憶された角度に達すると、電力系統２を停止してスクリーン１０を予定の可視位置に停止させる。
【発明の開示】
【発明が解決しようとする課題】
【０００５】
この従来の方式は一見便利なように見えるが、それにより発生する問題は全体の表示設備１の構造が複雑化してしまい、単純なスクリーン１０から動力系統２及び記憶定位用の定位器３を増設したために所要の電力及び制御も増加し、これに伴って故障の可能性が増加しコストが比較的高くなった。
【０００６】
このほか、相当数の消費者、即ち、スクリーンの潜在的な使用者にあっては、例えば設置したいスクリーンの場所が車両である場合、現在使用中の車両では大部分がスクリーンを装着していないので、図１に示した従来技術の使用角度の記憶機能を有するスクリーンを増設すると、その電力系統が比較的複雑なために、必然的に車両の元来の電力配置に影響を及ぼしてしまい、単純にスクリーンの電気を消耗するばかりではなく、同時に定位器及び電力系統の電気消耗を負担しなければならないので車両の本来の電力配置に対する影響が益々重大になる。
【０００７】
したがって、回転可能な表示設備にあっては、簡単にその使用角度を設定できる装置及び方法が必要であり、巧妙な設定を通して使用者に複雑且つ損壊しやすい機電系統を介することなく、スクリーン使用角度の設定を完成させ、これにより全体構造の信頼度を向上させるのが本発明の目的である。
【課題を解決するための手段】
【０００８】
本発明は上記の目的を達成するために、
第１の面を有する活動部と該第１の面と接合して該活動部を固定する第２の面を有する固定部とを備えた定位装置が設けられてあるベースと、
該ベース上に接合され且つ該活動部と互いに接合する定位部材を有することにより該活動部を該定位部材に追従して回転させる表示器とを備えてなり、その中、前記回転後該表示装置が一使用角度に位置した時、該定位部材及び該活動部がいずれも該使用角度に位置していることを表わし、この時再度該活動部を該使用角度に固定して、該定位部材を再度該活動部と互いに結合させた時、該表示装置が該使用角度に位置することを特徴とする回転可能な表示設備を提供する。
【０００９】
上記の表示設備において、該活動部上に係合溝があり、そして該定位部材上に該係合溝に進入して該表示装置を定位させる係止ブロックがある。
また上記表示設備において、該表示器と定位部材との間には更に、該定位部材を活動部に向かって当接させるための弾性素子を有している。
また上記表示設備において該第１の面及び第２の面はいずれも平坦でない面状を呈しており、該第１の面と該第２の面が分離し且つ該定位部材と該活動部とが互いに接合した時、活動部は表示器に追従して回転する。
また上記表示設備において、該表示器はスクリーンである。
また上記表示設備において、該定位部材と該活動部とは互いに嵌合するように係合している。
更に本発明は上記の目的を達成するために表示器と、この上に位置する定位部材とを提供するステップ（１）と、
定位装置を提供するステップ（２）と、
該定位部材と該定位装置とを接合して該定位装置を該定位部材に追従して回転させるステップ（３）と、
該表示器の回転において該表示器が該使用角度に位置した時、該定位装置を固定して該使用角度の設定を完成するステップ（４）と、
を備えてなる表示設備の使用角度の設定方法を提供する。
【００１０】
上記方法においてステップ（２）の定位装置はベース上に設置され、この定位装置は更に定位部材と互いに係合する活動部と、該活動部を固定する固定部とを備えてなり、ここで、該活動部と該固定部とが互いに固定すると該活動部はベース上に固定され、使用角度の設定が完成される。
また上記方法において、該活動部と該固定部とはクラッチの方式で互いに固定される。
また上記方法において、該活動部に第１の面があり、そして該活動部には第２の面があり、第１の面が第２の面と接触するのは所謂クラッチ形式により。
また上記方法において、該活動部更に係合溝を有し、そして該定位部材は該係合溝と互いに係止ブロックを備える。
また上記方法において、該表示器は収納角度から視認角度である使用角度に回転する。
【００１１】
表示設備の使用角度の設定方法において、
表示器設備は第１の係合素子を備えたスクリーンと、第２の係合素子を備えたベースとを有し、ここで設定方法は第１の係合素子と第２の係合素子とを互いに結合して該第２の係合素子を第１の係合素子に追従して回転させ、そして回転後該スクリーンが使用角度に位置した時、該第１の係合素子及び第２の係合素子がいずれも使用角度に位置していることを表わし、この時再度第２の係合素子と固定すれば第２の係合素子を使用角度に固定したこととなり、この場合、該第１の係合素子が再度該第２の係合素子と互いに結合した時、スクリーンはちょうど使用角度に位置する。
上記の方法において、該第１の係合素子は係止ブロックであり、そして該第２の係合素子は係合溝である。
【発明の効果】
【００１２】
上記伝統スクリーン定位方式の欠点を改善するために本発明による方式は角度を変更できる定位装置を提供し、ひいてはスクリーンの使用角度を設定する方式が採られる。
【発明を実施するための最良の形態】
【００１３】
図２は本発明の表示装置を収納した時の斜視図である。この図に示すように表示設備４は相互に枢接された表示器４０とベース４２とを備え、表示装置４が例えば実際に車両上に装置された時に表示器４０の収納位置は高低共にあり、収納又は卸しのどちらにせよ広義上共に一種の使用であるので表示器４０が収め位置にある時でも本発明に定義された定位装置を応用できる。したがって、表示設備４上のその中の片側が有する定位装置において第３のトリプ５１ｂ’がベース４２を露出し、そして第４のトリプ部５２ａ’も表示器４０を露出する。また第３のトリプ５１ｂ’の相対部位では第１のトリプ部５１ｂを有する。
【００１４】
図３は本発明の表示装置の視認時の斜視図である。ここで、図３の表示設備４は図２に示された角度のほかの方向から観察したものと言える。そして第３のトリプ部５１ｂ’の他側には更に第１のトリプ５１ｂ及び第２のトリプ部５２ａがあり、ベース４２及び表示器４０の外へ露出している。
【００１５】
図４の（ａ）ないし（ｄ）は本発明の表示設備における定位装置の使用ステップ見取図である。簡単に言えば、本発明の方法で表示器４０を定位するとは通常使用（視認）時の位置を固定することを指して言い、この場合「定位用の物体」とスクリーンとを同時に回転し、スクリーンが使用者の所要使用角度に位置すると「定位用の物体」も使用角度上にある。
【００１６】
したがって、このアイデアに基づき、図４において、その上に定位装置５を具備したベース４２及び表示器４０を構成した。この定位装置５は更に活動部５０及びこの活動部５０を固定する固定部５１を備えている。且つ、表示器４０上には活動部５０と係合する定位部材５２が設置されている。本発明の目的を達成するために本発明に係る技術的操作は図４の（ａ）及び（ｂ）を参照しながら図５を参照して説明する。
【００１７】
図５は本発明の表示装置及びその定位装置の見取図である。先ず、固定部５１及び活動部５０を分離の状態に呈させると、第１の面５０ａと第２の面が接触せずに離れ、定位部５２を活動部５０と接合させ、本実施例では、係止ブロック５２ｂを通して係合溝５０ｂと互いに接合することにより、定位部材５２を活動部５０と接合させる効果を達成する。活動部５０がもう固定部５１の固定を受けないので表示器４０の回転と同時に定位部５２が回転した時、定位部材５２と活動部５０が互いに係合しているために、前記の「定位用の対象物」を表示器４０に追従して一緒に回転させる効果を奏する。即ち、活動部５０及び表示４０が共にベース４２に対応して、表示器が視認位置に達するまで回転する。ここで「定位用の対象物」とは活動部５０を指して言う。そして使用者が特定の位置（視認角度）を決定した後、図４の（ｃ）に示すように固定部５１を活動部５０に向かって押すと共に両者を当接させて固定部５１を介して活動部５０を固定する。
【００１８】
本実施例では、第１の面５０ａと第２の面５１ａとが互いに当接しているので活動部５０がベース４２と相対的に回転しない。故に表示器４０を使用角度まで回転し、再度固定部５１により活動部５０を固定した後、活動部５０は表示器４０の定位及びその使用角度の位置に固定される。また図４の（ｄ）に示すように、再度定位部材５２を活動部５０と分離すると表示器４０は再度回転でき、例えば本来の収納位置（図４の（ａ）に示す位置）に復帰する。そして次回に再度表示器４０を使用する時、表示器４０は持続的に回転され、表示器４０が前回に設定された使用角度に到達すると、定位部材５２の係止ブロック５２ｂは活動部５０の係合溝５０ｂとライング・アップして相互に系合する。
【００１９】
このように、本発明の定位装置５を使用すれば、複雑な機電系統がなくとも表示器４０の使用角度を予め設定しさえすれば、以後の再使用時に改めて調整する必要がない。これは本発明が恰も使用角度を記憶する効果があることに類似していることによる。
【００２０】
図５は本発明の表示装置、及びその定位装置の断面見取図である。図に示すように活動部５０及び固定部５１はいずれも回転軸５３上に設置されており、そして表示器（図５には図示していないから図４を参照せよ）上には活動部５０と係合する定位部材５２を有しており、この定位部材５２は係止ブロック５２ｂを有し、そして活動部５０上には係合５０ｂがある。図５に示すように、係止ブロック５２ｂと係合溝５０ｂとが相互結合することにより定位部材５２と活動部５０とが相互係合する効果を達する。また図５に示すように、活動部５０には第１の面５０ａがあり、そして固定部５１には第１の面５０ａと互いに当接する第２の面があり、これにより固定部５１を介して活動部５０を固定する効果を奏する。したがって図５に示すように第１の境界面５０ａはなお第１の境界面５１ａと分離の状態を呈する一方、定位部材５２の係止ブロック５２ｂは活動部５０の係合溝５０ｂと互いに係合することから活動部５０は定位部材５２が設置されてある表示器４０（図４の（ａ）ないし（ｃ）参照）に追従して回転し、一旦表示器４０の使用時（視認時）の位置を確定すると、固定部５１を活動部５０に向かって移行すると共に第１の境界面５０ａを尚第２の境界面５１ａと緊密に当接（図４の（ｃ）を参照）させる。この時、活動部５０は確実に固定部の当接を受けたために表示器４０の使用位置に停留する。しかる後、定位部材５２の係止ブロック５２ｂと活動部５０の係合溝５０ｂとの係合を解除すれば、定位部材５２は表示器４０に追従して回転し、例えば本来の収め位置に転回する（図２参照）。この時、活動部５０の位置がすでに固定されているので、表示器４０が再度回転且つ係止ブロック５２ｂがちょうど係合溝５０に面している時、弾性素子５２ｃが係止ブロック５２を係合溝５０ｂに押し入れる。ここで注意すべきは押し入れる前に活動部５０は固定部５１により前回に設定された使用角度に固定されているので、定位部材５２が活動部５０と互いに係合して表示器を固定させた時、表示器４０は前回に設定された使用角度に位置しており、図４の（ｄ）に見るように前回設定された使用角度を記憶し出し、次回の使用に供する効果を奏する。
【００２１】
図３を参照しながら図５を説明する。図において第１のトリプ部５１ｂはベース４２外に露出しているので、使用者はこれにより第１の面５０ａを第２の面５１ａと接合又は分離させることができる。又、第２のトリプ部５２ａは表示器４０の外部に露出しているので、使用者はこれにより定位部材５２の係止ブロック５２ｂを係合溝と離脱又は係合させることができ、表示器を再度回転させることができる。
【００２２】
また図５は示されている第１の面５０ａ及び第２の面５１ａは相互に当接することにより摩擦力を通して活動部５０の回転を抑制するためにこの２面は平坦でない面状であることが好適である。或いは離合器の方式でも極めて優秀な選択である。
【００２３】
本発明はまたスクリーンの使用角度の設定方法を提供する。図２ないし図５において本発明の設定方法は（１）表示器４０を提供すると共に定位部材５２（図４、図５）を表示器４０上に提供するステップと、（２）定位装置５を提供するステップと、（３）定位部材５２と定位装置５とを接合して定位装置５を定位部材５２に追従して回転させ、詳細には図５に見るように定位装置中の活動部５０を定位部材５２の回転に応じて回転するステップと、（４）表示器４０を回転し、表示器４０が使用角度に位置すると定位装置５を固定すれば使用角度の設定が完成されるステップとを備えてなる。
【００２４】
上記の説明から知るように、定位装置５（図５）は表示器４０（図２ないし図３）を既に確定された使用角度に維持させ、且つこの使用角度が不用意に変動しないために、表示器４０がベース４２上枢接されている。したがって表示器４０の使用角度の固定を要する以上、表示器４０はベース４２に対して相対運動を起こしてはいけないので、両者を相互係合することが最も簡単明瞭な方式であり、このために表示器４０上に第１の係合素子が設けられている。即ち、本発明の表示設備の使用角度の設定方法は図５に示すように、第１の係合素子５２（即ち定位部材５２）を第２の係合素子５０（即ち活動部５０）と互いに結合して第２の係合素子５０を第１の係合素子５２に追従して回転（即ち図４の上から下への過程）させ、表示器４０が前記使用角度に位置した時、第１の係合素子５２及び第２の係合素子５０がいずれも前記の使用角度に位置していることを表わし、再度第２の係合素子５０を固定、即ち第２の係合素子５０を該使用角度に固定する。したがって第１の係合素子５２が再度第２の係合素子５０と結合した時、表示器４０は前記の使用角度に位置することとなる。他に第１の係合素子５２は係止ブロック５２ｂに取って代わって働き、第２の係合素子５０は係合溝に取って代わって働き、第２の係合素子５０の固定は固定部材５１（図４及び図５参照）を介して達成することができる。
【００２５】
上記の説明から分かるように本発明は元来ベース上において随意移動できない係合溝を通して活動できることとなり、更に一歩進んで係合溝を表示器の係止ブロックを介して表示器（スクリーン）に追従して一緒に回転させることができ、ひいてはスクリーンを使用角度（視認位置）までに回転した時、係合溝も使用角度に位置しており、この場合係合溝の位置を固定した後、次回スクリーンが再度この使用角度までに回転すると、係止ブロックは係合溝と互いに係合することができ、スクリーンもちょうど使用角度に位置することとなる。この方法もスクリーンの収め位置を設定することができ、図２に見るように表示器４０は大方収納時の位置にあり、そしてベース４２上には第３のトリプ部５１ｂ’があると共に第４のトリプ部５２ａ’も表示器４０を露出している。更に図５に見るように第１のトリプ５１ｂ（第３のトリプ部５１ｂ’）はベース４２外に露出しているので、使用者はこれにより第１の境界面５０ａを第２の境界面５１ａと接合又は分離させることができる。つまり、収納位置を設定する前に、第１の境界面５０ａは第２の境界面５１ａと分離しているが決定した後は相互緊密に当接できる。又、第２のトリプ５２ａ（第４のトリプ部５２ａ’）は表示器４０の外に露出しているので使用者はこれにより定位部材５２の係止ブロック５２ｂを係合溝５０ｂを係合溝５０ｂと離脱又は係合させ、表示器４０を回転させて収め位置から離れることができる。これによれば使用角度又は所謂使用位置、視認位置は広義的に言えば、１．表示器４を卸して図３に示すような視認状態にする；２．表示器４上を図２のように収納することを意味する。したがって、ある特定の角度を特定するものであれば収納又は卸しを問わず、いずれも本発明を介してこの特定角度を記憶することを達成し、次回再度この特定角度を使用する時に再度、設定するのに尽力する必要がない。
【００２６】
要するに、本発明の創意及び進歩性は定位機能を有する定位装置がスクリーンに追従して一緒に回転し、使用角度が確定された後、再度定位装置を固定して次回スクリーンを固定する時に再調整することなく直接その前に設定された使用位置を固定することにある。換言すれば、図４及び図５から分かるように元来表示器４０の位置固定の責任を負う係合溝５０ｂを活動的に設計して、表示器４０に追従して回転できるようにしている。これは係止ブロック５２ｂ及び係止溝５０の接合を介してなされることから係合溝５０ｂの固定位置は表示器４０の使用位置と同期的に回転できる。次に再度係合溝５０ｂの位置を固定、例えば固定部を介せば固定された係合溝５０ｂが再度随意移動しないことから表示器４０の使用位置も確定される。当然、表示器４０上の係止ブロック５２ｂが係合溝５０ｂと分離すると、表示器４０が随意に回転できるが、係止ブロック５２ｂが係合溝５０にライング・アップし且つ外力の干渉がなければ、弾性素子５２ｃはすぐ係合ブロック５２を押して係合５０ｂに進入させ、両者を結合させると共に表示器４０を定位する効果を生ずる。これから分かるように、使用者は表示器と定位装置との連動を介して十分簡単に表示器の観賞位置又は角度を設定でき、且つ後日の使用において再度新たに表示器を調整しなくても自動的に前回設定された位置に係合・固定され、十分に迅速に且つ完全に電力系統に依ることなく操作でき、全機械式の構造も容易に保守、素子の取替え及び製造も容易に行える。たとえ表示器の角度、位置の変更が必要であっても、固定部と活動部とを分離し、定位部材を活動部と接合さえすれば表示器は再度使用者のほかの所要の角度に自由移動でき、再度固定部を活動部と当接して活動部の位置を固定すればよい。
【００２７】
上記本発明の実施の形態は本発明の好適な実施例を説明するためにあり、当然本発明の技術的思想はこれら実施例に限定されず、添付の請求の範囲を逸脱しない限り当業者による単純な設計変更、付加、置換等はいずれも本発明の技術的範囲に属する。
【産業上の利用可能性】
【００２８】
本発明は表示設備を回転可能とし、またそのための使用角度の設定方法に有用である。
【図面の簡単な説明】
【００２９】
【図１】従来の回転可能な表示装置を示す図である。
【図２】本発明の表示設備の収めた時の斜視図である。
【図３】本発明の表示設備の視認時の斜視図である。
【図４】（ａ）ないし（ｄ）は本発明の表示設備における定位装置の使用ステップ見取図である。
【図５】本発明の表示設備及びその定位装置の断面見取図である。
【符号の説明】
【００３０】
１          表示装置構造
１０        スクリーン
１０ａ      スクリーン回転軸
１２        ベース
２          電力系統
３          定位器
３０        光センサ−
３２        光源
３４        回折格子
４          表示設備
４０        表示器
４２        ベース
５          定位装置
５０        活動部
５０ａ      第１の境界面
５０ｂ      係合溝
５１        固定部
５１ａ      第２の境界面
５１ｂ      第１のトリプ部
５１ｂ’    第３のトリプ部
５２        定位部材
５２ａ      第２のトリプ部
５２ａ’    第４のトリプ部
５２ｂ      係止ブロック
５２ｃ      弾性素子
【図１】
2008197616.tif 000003
【図２】
2008197616.tif 000004
【図３】
2008197616.tif 000005
【図４】
2008197616.tif 000006
【図５】
2008197616.tif 000007